(57)【要約】【課題】  オーディオ／ビデオシステムに装着されたスピーカ特性によるスピーカモードの自動設定方法及び装置を提供する。【解決手段】  所定の広帯域信号を発生させて該当スピーカを再生する過程、スピーカで再生される広帯域信号の周波数特性を分析して、スピーカの周波数帯域別の再生能力を判別する過程、及び判別されたスピーカ再生能力に基づいて、各スピーカモードを設定する過程を含む。【選択図】      図３
2006148888.tif 000002
【特許請求の範囲】
【請求項１】
マルチチャンネルスピーカシステムのスピーカモードの自動設定方法において、
（ａ）任意の広帯域信号を発生させて該当スピーカを再生する過程と、
（ｂ）前記スピーカで再生される所定の広帯域信号の周波数特性を分析して、前記スピーカの周波数帯域別の再生能力を判別する過程と、
（ｃ）前記判別されたスピーカ再生能力に基づいて、各スピーカモードを設定する過程と、を含むことを特徴とするスピーカモードの自動設定方法。
【請求項２】
所定の広帯域信号は、テストホワイトノイズ信号及びテストインパルスノイズ信号のうち一つであることを特徴とする請求項１に記載のスピーカモードの自動設定方法。
【請求項３】
前記スピーカのスピーカモードの設定過程は、
前記スピーカモードをＳｍａｌｌモード、Ｌａｒｇｅモード、Ｎｏｎｅモード、サブウーファ“Ｙｅｓ”モード、及びサブウーファ“Ｎｏ”モードのうち一つに設定することを特徴とする請求項１に記載のスピーカモードの自動設定方法。
【請求項４】
前記マルチチャンネルスピーカシステムは、
複数個のスピーカに提供された周波数を決定するために、複数個の該当スピーカモードを有する複数個のスピーカ、サブウーファモードを有する少なくとも一つのサブウーファ、及び再生能力の決定過程は、ＬＦＥチャンネルと異なるチャンネルの任意の低周波数成分が前記少なくとも一つのサブウーファに提供されるかを決定することを特徴とする請求項１に記載のスピーカモードの自動設定方法。
【請求項５】
前記スピーカモードの設定過程は、
スピーカがあらゆる周波数成分、中／高周波数成分及び無周波数成分それぞれ再生できるとき、Ｌａｒｇｅスピーカモード、Ｓｍａｌｌスピーカモード、Ｎｏｎｅスピーカモードのうち一つとしてスピーカのスピーカモードを設定することを特徴とする請求項１に記載のスピーカモードの自動設定方法。
【請求項６】
前記スピーカモードの設定過程は、
前記スピーカモードがＳｍａｌｌスピーカモードに設定されるとき、サブウーファがそのスピーカに該当するチャンネルの低周波数成分を受信するようにサブウーファモードを設定する過程と、
前記スピーカモードがＮｏｎｅスピーカモードに設定されるとき、他のチャンネルを有するスピーカに該当するチャンネルの低周波数成分と中／高周波数成分とを混合する過程と、をさらに含むことを特徴とする請求項５に記載のスピーカモードの自動設定方法。
【請求項７】
前記スピーカの再生能力の決定過程は、
前記スピーカが前記マルチチャンネルシステムに適切に連結されるかを検出し、前記スピーカモードの設定過程は、前記スピーカが適切に連結されていないとき、スピーカに提供されるチャンネルの少なくとも一部分を他のスピーカに転換する過程を含むことを特徴とする請求項１に記載のスピーカモードの自動設定方法。
【請求項８】
前記スピーカの再生能力の判別過程は、
前記所定の広帯域信号の周波数帯域別のレベルを分析する過程と、
前記分析された所定の広帯域信号の周波数帯域別のレベルをテーブル化する過程と、
前記過程でテーブル化された周波数帯域別のレベルに基づいて、スピーカ再生能力を判別する過程と、を含むことを特徴とする請求項１に記載のスピーカモードの自動設定方法。
【請求項９】
前記スピーカモードの設定過程は、
前記広帯域オーディオ信号が低周波数成分及び中／高周波数成分を含む場合、可聴周波数帯の信号を再生するスピーカモードと判断し、前記広帯域オーディオ信号が中／高周波数成分のみを含む場合、中／高帯域周波数を再生するスピーカモードと判断し、前記広帯域オーディオ信号が低周波数成分のみを含む場合、低帯域周波数を再生するスピーカモードと判断し、前記広帯域オーディオ信号が低周波数成分及び中／高周波数成分を含まない場合、スピーカが連結されていないスピーカモードと判断する過程であることを特徴とする請求項１に記載のスピーカモードの自動設定方法。
【請求項１０】
前記中／高帯域周波数を再生するスピーカモードと判断する場合、入力される中／高帯域成分のサウンド信号を該当スピーカへ伝送し、該当チャンネルの低帯域成分のサウンド信号をサブウーファに転換することを特徴とする請求項９に記載のスピーカモードの自動設定方法。
【請求項１１】
前記スピーカが連結されていないスピーカモードの決定過程は、スピーカが連結されていないことを判断し、前記スピーカに提供される該当チャンネルのサウンド信号を他のチャンネルとミキシングすることを特徴とする請求項９に記載のスピーカモードの自動設定方法。
【請求項１２】
オーディオシステムで、複数個の該当チャンネルを有する複数個のスピーカのためのスピーカモードの自動設定方法において、
前記複数個のスピーカから所定の広帯域信号を再生する過程と、
前記再生された広帯域信号を使用して、前記複数個のスピーカの周波数特性を処理する過程と、
前記周波数特性によって、前記複数個のスピーカのためのスピーカモードを設定する過程と、
前記該当スピーカにより出力できない低周波数成分を有する該当チャンネルの任意の低周波数成分を受信するサブウーファを設定する過程と、を含むことを特徴とするスピーカモードの自動設定方法。
【請求項１３】
前記スピーカモードの設定過程は、前記該当スピーカとマッチングしないスピーカモードを訂正することを特徴とする請求項１２に記載のスピーカモードの自動設定方法。
【請求項１４】
スピーカモードの設定方法において、
複数個のスピーカにより再生できる周波数成分を決定するために、複数個のスピーカの周波数特性を分析する過程と、
現在のスピーカモードの設定が前記分析された周波数特性とマッチングされるかを判断する過程と、
前記分析された周波数特性とマッチングされていない現在のスピーカ設定を有する複数個のスピーカのうちいずれか一つのために、スピーカモードを再設定する過程と、を含むことを特徴とするスピーカモードの自動設定方法。
【請求項１５】
スピーカモードの設定方法において、
第１スピーカを通じて再生される第１信号を提供する過程と、
第２スピーカを通じて再生される第２信号を提供する過程と、
前記第１スピーカの状態を判断する過程と、
少なくとも第１信号と第２信号の一部分が前記第２スピーカを通じて再生されるように、前記第１スピーカの状態によって、少なくとも前記第１信号の一部分を前記第２スピーカに提供する過程と、を含むことを特徴とするスピーカモードの自動設定方法。
【請求項１６】
複数個のチャンネルを有するオーディオ／ビデオシステムで、スピーカモードの設定装置において、
信号を増幅する増幅部と、
前記増幅部で増幅された信号を再生するスピーカと、
任意の広帯域信号を発生させて前記増幅部に出力し、該当スピーカで再生される広帯域信号の周波数特性を分析し、その分析されたスピーカの周波数特性によって各スピーカモードを設定するデジタル信号処理部と、
前記デジタル信号処理部で前記スピーカモードの設定情報を受ければ、そのスピーカモードの設定情報によって、信号のフィルタ通過如何及びチャンネルの組み合わせを制御する命令を発生させるマイクロプロセッサと、を備えることを特徴とするスピーカモードの自動設定装置。
【請求項１７】
前記デジタル信号処理部は、
所定の広帯域信号を発生させてスピーカに出力する手段と、
該当スピーカで再生される広帯域信号の周波数特性を分析して、周波数帯域別のレベルにテーブル化する手段と、
前記周波数帯域別のレベルに基づいて各スピーカモードを設定する手段と、
前記スピーカモードによって、信号のフィルタ通過如何及びチャンネルの組み合わせをスイッチングする手段と、を備えることを特徴とする請求項１６に記載のスピーカモードの自動設定装置。
【請求項１８】
前記デジタル信号処理部は、
前記スピーカを通じて再生された所定の広帯域信号の周波数特性を分析し、所定の広帯域信号の周波数帯域のレベルをテーブル化する分析手段と、
前記周波数帯域のレベルに基づいて、前記スピーカのスピーカモードを設定する設定手段と、
前記設定されたスピーカモードに基づいて、フィルタとチャンネルとの組み合わせをスイッチングするスイッチング手段と、を備えることを特徴とする請求項１６に記載のスピーカモードの自動設定装置。
【発明の詳細な説明】
【技術分野】
【０００１】
本発明は、マルチチャンネルスピーカシステムに係り、特にオーディオ／ビデオシステムに装着されたスピーカ特性によるスピーカモードの自動設定方法及び装置に関する。
【背景技術】
【０００２】
通常的に、ホームシアターシステムは、５．１チャンネルのアンプ、ＤＶＤ再生器、及びチューナを内蔵させた製品であって、大画面のデジタルＴＶと一対をなす。また、ホームシアターシステムは、最先端の映像技術であるプログレッシブスキャン機能を適用して、高画質を具現できるだけでなく、ドルビプロロジックデコーディング技術を適用して、ＶＣＲ、ＴＶ放送のように２チャンネルのステレオサウンドを５．１チャンネルで再生できる。
【０００３】
かかるホームシアターシステムは、スピーカの有無及びスピーカの再生周波数帯域によって、ユーザーが手動でスピーカモードを設定せねばならない。
【０００４】
図１は、従来の手作業によるスピーカモードの設定によって信号の流れを制御するデジタル信号処理器（ＤＳＰ）のブロック図である。
【０００５】
図１に示すように、入力されるフロント、センター、サラウンド、サラウンドバック、ＬＦＥ（低周波数効果）チャンネルのオーディオ信号は、それぞれ対応するスピーカに出力される。このとき、ユーザーは、リモコンやフロントのキーを押してスピーカモードを設定する。ユーザーは、スピーカの種類及び個数によって、サブウーファ（Ｓ／Ｗ）は“Ｙｅｓ”、“Ｎｏ”の２つのスピーカモードを選択し、残りのスピーカは“Ｌａｒｇｅ”、“Ｓｍａｌｌ”、“Ｎｏｎｅ”の３つのスピーカモードを直接選択する。“Ｌａｒｇｅ”モードは、可聴周波数帯域である２０Ｈｚ−２０ｋＨｚのあらゆるオーディオ信号を出力する。“Ｓｍａｌｌ”モードは、低周波数帯域の信号を除いた中／高周波数帯域の信号を出力し、低帯域の信号をＳ／Ｗや他のスピーカに出力する。“Ｎｏｎｅ”モードは、該当スピーカに信号を出力しない。
【０００６】
“Ｙｅｓ”モードは、低帯域の信号をＳ／Ｗに出力し、“Ｎｏ”モードは、低帯域の信号をＳ／Ｗに出力せずにフロントスピーカや他のスピーカに出力する。
【０００７】
したがって、ユーザーの選択によりスピーカモードが設定されれば、ＤＳＰは、各スピーカモード別に低域通過フィルタ（ＬＰＦ）及び高域通過フィルタ（ＨＰＦ）の通過如何及び信号の組み合わせを設定し、サウンド再生器で出力されるサウンドを各スピーカモードに適するように処理して、該当スピーカに出力する。
【０００８】
従来のユーザーの設定により操作されるスピーカモードの設定方法は、ＬＰＦ及びＨＰＦの設定のみを考慮しており、実際のスピーカの連結如何を確認しない。
【０００９】
そして、従来技術は、ユーザーが直接スピーカモードＬａｒｇｅ、Ｓｍａｌｌ、Ｎｏｎｅを設定せねばならないので、操作の難しさは言うまでもなく、複数個のスピーカをそれぞれ設定せねばならない煩わしさがある。また、従来技術は、ユーザーの推測によりスピーカモードを設定するため、スピーカが再生できる周波数帯域を正確に把握できないおそれがあるので、最適の音響効果を得難い。例えば、オーディオ／ビデオシステムでは、低周波数帯域の信号を生成するが、装着されているスピーカは、周波数特性により低周波数帯域の信号を再生し難い。したがって、低周波数帯域の信号が損失されることがある。また、従来技術は、実際に連結されていないスピーカを“Ｌａｒｇｅ”モードや“Ｓｍａｌｌ”モードに設定することによって、該当出力信号を聴取者が聞けない場合も発生するという問題点もある。
【特許文献１】日本特許公開平１１−１２２７００号公報
【発明の開示】
【発明が解決しようとする課題】
【００１０】
本発明が解決しようとする課題は、オーディオ／ビデオシステムに装着されているスピーカの特性を自動的に判別して、スピーカモードを自動的に設定するスピーカモードの自動設定方法を提供するところにある。
【００１１】
本発明が解決しようとする他の課題は、オーディオ／ビデオシステムに装着されているスピーカの特性を自動的に判別して、スピーカモードを自動的に設定するスピーカモードの自動設定装置を提供するところにある。
【課題を解決するための手段】
【００１２】
前記の課題を解決するために、本発明は、マルチチャンネルスピーカシステムのスピーカモードの自動設定方法において、（ａ）所定の広帯域信号を発生させて該当スピーカを再生する過程、（ｂ）前記スピーカで再生される広帯域信号の周波数特性を分析して、前記スピーカの周波数帯域別の再生能力を判別する過程、及び（ｃ）前記判別されたスピーカ再生能力に基づいて、各スピーカモードを設定する過程を含むことを特徴とする。
【００１３】
前記の他の課題を解決するために、本発明は、オーディオ／ビデオシステムで、スピーカモードの設定装置において、信号を増幅する増幅部、前記増幅部で増幅された信号を再生するスピーカ、所定の広帯域信号を発生させて前記増幅部に出力し、該当スピーカで再生される広帯域信号の周波数特性を分析し、その分析されたスピーカの周波数特性によって各スピーカモードを設定するデジタル信号処理部、及び前記デジタル信号処理部で前記スピーカモードの設定情報を受ければ、そのスピーカモードの設定情報によって、信号のフィルタ通過如何及びチャンネルの組み合わせを制御する命令を発生させるマイクロプロセッサを備えることを特徴とする。
【発明の効果】
【００１４】
本発明によれば、マルチチャンネルのオーディオ／ビデオシステムで、スピーカの特性を把握して自動的にスピーカモードを設定することによって、可聴周波数全帯域のサウンドを損失なしに視聴でき、また、スピーカモードの設定に慣れないユーザーに便宜を提供し、ユーザーのスピーカモードの設定に対するエラーを防止して最適の音響を再生できる。
【発明を実施するための最良の形態】
【００１５】
以下、添付された図面を参照して、本発明の望ましい実施形態を説明する。
【００１６】
図２は、本発明によるマルチチャンネルスピーカシステムのスピーカモードの自動設定装置のブロック図である。図２のスピーカモードの自動設定装置は、ＡＤＣ（アナログデジタル変換）部２１０、ＤＳＰ  ２２０、ＤＡＣ（デジタル−アナログ変換）部２３０、パワー増幅部２４０、スピーカ２５０、マイクロホン２６０、及びマイクロプロセッサ２７０を備える。
【００１７】
図２に示すように、パワー増幅部２４０は、広帯域信号をパワー増幅して、スピーカ２５０に出力する。
【００１８】
スピーカ２５０は、パワー増幅部２４０で増幅された広帯域信号をサウンドに再生する。
【００１９】
マイクロホン２６０は、スピーカ２５０で再生されたサウンドを電気的な信号に変換する。
【００２０】
ＡＤＣ部２１０は、マイクロホン２６０から入力される電気的な信号をデジタル信号に変換する。ＤＡＣ部２３０は、ＤＳＰ  ２２０で発生するデジタル広帯域信号をアナログ広帯域信号に変換する。
【００２１】
ＤＳＰ  ２２０は、ホワイトノイズのようなデジタル広帯域信号を発生させてＤＡＣ部２３０に出力する。ＤＳＰ  ２２０により発生したデジタル広帯域信号は、テスト信号、例えばホワイトノイズ信号またはインパルスノイズ信号のような所定信号となることができる。ＤＡＣ部２３０は、デジタル広帯域信号をアナログ広帯域信号に変換し、そのアナログ広帯域信号をパワー増幅部２４０に出力する。また、ＤＳＰ  ２２０は、ＡＤＣ部２１０から受信されたデジタル信号の周波数特性を分析して、スピーカ２５０の周波数帯域別の再生能力を判別し、判別されたスピーカの再生能力に基づいてスピーカモードを設定する。また、ＤＳＰ  ２２０は、マイクロプロセッサ２７０のスピーカモード制御信号によって、信号のフィルタ通過如何及びチャンネルの組み合わせをスイッチングして、該当スピーカ特性に適した信号を出力する。
【００２２】
マイクロプロセッサ２７０は、ＤＳＰ  ２２０からスピーカモードの設定情報を受ければ、ＤＳＰ  ２２０で信号のフィルタ通過如何及びチャンネルの組み合わせを制御するスピーカモード制御信号を発生させる。
【００２３】
図３は、本発明によるマルチチャンネルスピーカシステムのスピーカモードの自動設定方法を示すフローチャートである。
【００２４】
スピーカモードの自動設定方法は、図２の装置を参照して後述する。オーディオ／ビデオシステム（例えば、マルチチャンネルシステム）は、ＬＦＥチャンネルを出力するためのＳ／Ｗ、フロントチャンネルを出力するためのフロントスピーカ、センターチャンネルを出力するためのセンタースピーカ、少なくとも一つ以上のサラウンドチャンネルを出力するための少なくとも一つ以上のサラウンドスピーカ、及びサラウンドバックチャンネルを出力するためのサラウンドバックスピーカを備える。他のスピーカ及び／またはチャンネルがそのシステム内に含まれうる。選択的に、かかるシステムは、前述したスピーカ及び／またはチャンネルより少ない個数のスピーカ及び／またはチャンネルを備える。そのシステム内の各スピーカは、スピーカモードを有し、Ｓ／Ｗは、Ｓ／Ｗモードを有する。そのシステム内のスピーカが“Ｓｍａｌｌ”と設定されれば、Ｓ／Ｗは、Ｓ／Ｗモードが“Ｙｅｓ”と設定されるとき、他のスピーカに該当するチャンネルの低域周波数成分を出力できる。もし、Ｓ／Ｗモードが“Ｎｏ”と設定されれば、Ｓ／Ｗは、単にＬＦＥチャンネルを出力し、他のスピーカに該当するチャンネルの低域周波数成分を出力しない。そのシステム内の他のスピーカが“Ｌａｒｇｅ”と設定され、Ｓ／Ｗモードが“Ｙｅｓ”と設定されれば、他のスピーカとＳ／Ｗとは、いずれも他のスピーカに該当するチャンネルの低域周波数成分を出力する。Ｓ／Ｗモードが“Ｎｏ”と設定されれば、Ｓ／Ｗは、単にＬＦＥチャンネルを出力する。したがって、本発明の実施形態は、スピーカ及びＳ／Ｗのための周波数帯域の再生能力を決定し、チャンネルのいかなる周波数成分も損失されないように、チャンネル信号をスイッチングする。
【００２５】
図３に示すように、スピーカモードの設定命令によって、低周波数を含む広帯域信号、例えばホワイトノイズまたはインパルスノイズを発生させて、スピーカ２５０に出力する（３１０過程）。スピーカモードの設定命令は、ユーザーにより入力され、オーディオ／ビデオシステムがオンになるとき、自動的に入力されうる。ＤＳＰ
２２０は、広帯域信号についての周波数特性情報を備える。例えば、周波数特性情報は、予め設定されて保存されうる。
【００２６】
次いで、該当スピーカで再生される広帯域信号を、マイクロホン２６０を通じて入力する。
【００２７】
次いで、該当スピーカで再生される広帯域信号の周波数特性、例えば周波数帯域別のレベルを分析する（３２０過程）。分析された広帯域信号の周波数帯域別のレベルをテーブル化する。
【００２８】
次いで、周波数帯域別のレベルテーブルに基づいて、該当スピーカの周波数再生能力を判別して、スピーカモードを設定する。以下、スピーカの周波数特性に基づいてスピーカモードを自動的に設定する具体的な実施形態を説明する（３４２過程〜３９８過程）。
【００２９】
まず、スピーカで再生される広帯域信号が低周波数成分を含めるかをチェックする（３４２過程）。例えば、再生される広帯域信号は、−２０ｄＢ以下に低域成分（１ＫＨｚ以下）が存在するかがチェックされる。
【００３０】
このとき、広帯域信号が低周波数成分を含んでいれば、スピーカで再生される広帯域信号が中／高周波数成分を含めるかをチェックする（３４４過程）。したがって、広帯域信号が低周波数成分及び中／高周波数成分をいずれも含んでいれば、低域及び中／高域再生が可能なスピーカと判断して（３５０過程）、スピーカモードを“Ｌａｒｇｅ”と設定する（３５２過程）。しかし、広帯域信号が低周波数成分のみを含んでいれば、低域再生のみが可能なスピーカと判断し（３６０過程）、同時に既存にフロントスピーカモードが“Ｓｍａｌｌ”であるか否かを判断して、“Ｓｍａｌｌ”モードである場合（３６２過程）、Ｓ／ＷをＳ／Ｗモード“Ｙｅｓ”に再設定する（３６４過程）。また、センター及びサラウンドチャンネルのスピーカモードのうちいずれか一つが“Ｓｍａｌｌ”である場合、Ｓ／ＷをＳ／Ｗモードに再設定する。また、Ｓ／Ｗチャンネルを除いたモードチャンネルのスピーカモードが“Ｌａｒｇｅ”である場合、Ｓ／Ｗチャンネルの入力情報を判断して、Ｓ／Ｗチャンネルに信号が入力されている場合、Ｓ／Ｗモード“Ｙｅｓ”に設定する。そうではなければ、Ｓ／ＷがＬＦＥチャンネルのみを出力するので、Ｓ／Ｗモードは“Ｎｏ”と維持されうる。
【００３１】
一方、３４２過程に戻って、該当スピーカで再生される広帯域信号が低周波数成分を含んでいなければ、再びその広帯域信号に中／高周波数成分を含んでいるかをチェックする（３７０過程）。このとき、該当スピーカで再生される広帯域信号が中／高周波数成分を含んでいれば、中／高域の信号再生のみが可能なスピーカと判断し（３７２過程）、このとき、既存にスピーカモードが“Ｌａｒｇｅ”と設定されれば（３８０過程）、“Ｓｍａｌｌ”と再設定する（３８２過程）。したがって、スピーカモードを“Ｓｍａｌｌ”と設定することによって、低域信号をＳ／Ｗチャンネルへ伝送する。また、該当スピーカで再生される広帯域信号が低周波数成分及び中／高周波数成分をいずれも含んでいなければ（３７０過程）、スピーカが連結されていないと判断する（３７４過程）。このとき、既存にスピーカモードが“Ｎｏｎｅ”と設定されていれば、スピーカモードを“Ｎｏｎｅ”と再設定した後、他のチャンネルのスピーカで信号をダウンミキシングして、同時に既存にフロントスピーカモードが“Ｓｍａｌｌ”と設定されていれば（３９６過程）、Ｓ／Ｗモード“Ｙｅｓ”に再設定する（３９８過程）。フロントスピーカが典型的にあらゆる周波数成分を出力するために、“Ｌａｒｇｅ”スピーカモードと設定されているので、該当スピーカモードが“Ｓｍａｌｌ”と設定されれば、フロントチャンネル及びそのフロントチャンネルと混合された他のチャンネルの低周波数成分は、フロントスピーカにより出力されない。したがって、そのＳ／ＷのＳ／Ｗモードは、フロントチャンネル及びそのフロントチャンネルと混合された他のチャンネルの低周波数成分がＬＦＥチャンネルとさらに混合され、フロントスピーカに出力可能に“Ｙｅｓ”と設定されうる。例えば、スピーカ２５０がＮｏｎｅモードにあると判断するとき、該当チャンネルは、フロントチャンネルと混合され、そのフロントスピーカに出力される。フロントスピーカが“Ｓｍａｌｌ”と設定されれば、いかなる低周波数成分も、フロントスピーカを通じて出力されない。したがって、３９８過程は、Ｓ／Ｗモードを“Ｙｅｓ”と設定する。
【００３２】
最終的に、あらゆるスピーカに対するスピーカモードを設定したならば、そのスピーカモードによって、信号のフィルタ通過如何及びチャンネルの組み合わせをスイッチングする。
【００３３】
図４は、本発明を適用して自動的にスピーカモードを設定した信号処理ブロックの第１実施形態を示す図である。図４に示すように、フロントスピーカ、センタースピーカ、サラウンドスピーカ、サラウンドバックスピーカ、Ｓ／Ｗに対するスピーカモードがそれぞれ“Ｌａｒｇｅ”、“Ｓｍａｌｌ”、“Ｓｍａｌｌ”、“Ｓｍａｌｌ”、“Ｙｅｓ”（[ＬＳＳＳＹ]）と設定されているとする。このとき、センタースピーカがシステムに装着されていないと仮定すれば、連結されていないセンタースピーカモードを“Ｓｍａｌｌ”と設定することによって、センターチャンネルの信号を損失する。すなわち、信号処理ブロックは、センターチャンネル信号を連結していないセンタースピーカに出力する。
【００３４】
しかし、本発明（右側図面）を適用すれば、フロントスピーカ、センタースピーカ、サラウンドスピーカ、サラウンドバックスピーカ、Ｓ／Ｗに対するスピーカモードがそれぞれ“Ｌａｒｇｅ”、“Ｎｏｎｅ”、“Ｓｍａｌｌ”、“Ｓｍａｌｌ”、“Ｙｅｓ”（[ＬＮＳＳＹ]）と自動設定される。したがって、センタースピーカモードを“Ｎｏｎｅ”と自動的に判別することによって、センターチャンネルの信号をフロントチャンネルの信号とダウンミキシングして、フロントスピーカに出力する。
【００３５】
図５は、本発明を適用して自動的にスピーカモードを設定した信号処理ブロックの第２実施形態を示す図である。図５に示すように、フロントサテライトスピーカ、センタースピーカ、サラウンドスピーカ、サラウンドバックスピーカ、Ｓ／Ｗに対するスピーカモードがそれぞれ“Ｌａｒｇｅ”、“Ｓｍａｌｌ”、“Ｓｍａｌｌ”、“Ｓｍａｌｌ”、“Ｙｅｓ”と設定されているとする。このとき、フロントサテライトスピーカは、低域周波数の信号を正しく再生できない特性を有する。したがって、従来には、フロントサテライトスピーカモードを“Ｌａｒｇｅ”と設定することによって、フロントチャンネルの低域信号を損失する。
【００３６】
しかし、本発明（右側図面）を適用すれば、フロントサテライトスピーカ、センタースピーカ、サラウンドスピーカ、サラウンドバックスピーカ、Ｓ／Ｗに対するスピーカモードがそれぞれ“Ｓｍａｌｌ”、“Ｓｍａｌｌ”、“Ｓｍａｌｌ”、“Ｓｍａｌｌ”、“Ｙｅｓ”と自動設定される。したがって、フロントサテライトスピーカモードを“Ｓｍａｌｌ”と判別することによって、フロントチャンネルの低域信号は、Ｓ／Ｗチャンネル信号とダウンミキシングして、フロントサテライトスピーカに提供される代わりにＳ／Ｗに出力する。たとえ本発明の色々な実施形態が“Ｌａｒｇｅ”、“Ｓｍａｌｌ”、“Ｎｏｎｅ”、“Ｙｅｓ”、“Ｎｏ”スピーカを含む特定のスピーカモード、及びＳ／Ｗモードを記述しているとしても、本発明の概念は、これらのスピーカモードに限定されない。
【００３７】
また、本発明は、コンピュータで読み取り可能な記録媒体にコンピュータで読み取り可能なコードとして具現することが可能である。コンピュータで読み取り可能な記録媒体は、コンピュータシステムにより読み取られるデータが保存されるあらゆる種類の記録装置を含む。コンピュータで読み取り可能な記録媒体の例としては、ＲＯＭ、ＲＡＭ、ＣＤ−ＲＯＭ、磁気テープ、ハードディスク、フロッピー（登録商標）ディスク、光データ保存装置などがあり、またキャリアウェーブ（例えば、インターネットを通じた伝送）の形態で具現されるものも含む。また、コンピュータで読み取り可能な記録媒体は、ネットワークに連結されたコンピュータシステムに分散され、分散方式でコンピュータで読み取り可能なコードとして保存されて実行されうる。
【産業上の利用可能性】
【００３８】
本発明は、マルチチャンネルスピーカモードの自動設定方法及び装置に係り、一般的にホームシアターシステムに適用可能である。
【図面の簡単な説明】
【００３９】
【図１】従来の手作業によるスピーカモードの設定によって信号の流れを制御するＤＳＰのブロック図である。
【図２】本発明によるマルチチャンネルスピーカシステムのスピーカモードの自動設定装置のブロック図である。
【図３】本発明によるマルチチャンネルスピーカシステムのスピーカモードの自動設定方法を示すフローチャートである。
【図４】本発明を適用して自動的にスピーカモードを設定した信号処理ブロックの第１実施形態を示す図である。
【図５】本発明を適用して自動的にスピーカモードを設定した信号処理ブロックの第２実施形態を示す図である。
【符号の説明】
【００４０】
２１０  ＡＤＣ部
２２０  ＤＳＰ
２３０  ＤＡＣ部
２４０  パワー増幅部
２５０  スピーカ
２６０  マイクロホン
２７０  マイクロプロセッサ
【図１】
2006148888.tif 000003
【図２】
2006148888.tif 000004
【図３】
2006148888.tif 000005
【図４】
2006148888.tif 000006
【図５】
2006148888.tif 000007